(57)【要約】      （修正有）【課題】身体に対するフィット性をより高めることにより、身体に対する隙間を抑制し、漏れを抑制できる使い捨ておむつを提供する。【解決手段】使い捨ておむつは、互いに直交する前後方向及び幅方向と、前胴回り域、後胴回り域、及び前記前胴回り域及び前記後胴回り域との間に配置された股下域と、少なくとも股下域に配置された吸収コア３１と、吸収コアにおいて格子状に配置された格子圧搾部８５と、を有する。股下域の吸収コアは、前後方向に延び、かつ幅方向に間隔を空けて配置された一対の変形誘導部によって変形可能である。格子圧搾部の少なくとも一部は、一対の変形誘導部によって挟まれた領域に設けられている。【選択図】図３
0003218599.tif 000002
【実用新案登録請求の範囲】
【請求項１】
互いに直交する前後方向及び幅方向と、
前胴回り域、後胴回り域、及び前記前胴回り域及び前記後胴回り域との間に配置された股下域と、
少なくとも前記股下域に配置された吸収コアと、
前記吸収コアにおいて格子状に配置された格子圧搾部と、を有する使い捨ておむつであって、
前記股下域の前記吸収コアは、前記前後方向に延び、かつ前記幅方向に間隔を空けて配置された一対の変形誘導部によって変形可能であり、
前記格子圧搾部の少なくとも一部は、前記一対の変形誘導部によって挟まれた領域に設けられている、使い捨ておむつ。
【請求項２】
前記格子圧搾部は、前記変形誘導部よりも前記幅方向の外側の領域にも設けられている、請求項１に記載の使い捨ておむつ。
【請求項３】
前記格子圧搾部は、前記一対の変形誘導部よりも前側の領域及び前記一対の変形誘導部よりも後側の領域にも設けられている、請求項１又は請求項２に記載の使い捨ておむつ。
【請求項４】
前記格子圧搾部は、前記前後方向及び前記幅方向に対して傾斜する第１傾斜方向に延びる第１格子圧搾部と、前記第１傾斜方向と交差する第２傾斜方向に延び、かつ前記第１格子圧搾部と連なる第２格子圧搾部と、を有する、請求項１から請求項３のいずれか１項に記載の使い捨ておむつ。
【請求項５】
前記変形誘導部は、前記幅方向の内側に向かって凸状に湾曲する形状である、請求項１から請求項４のいずれか１項に記載の使い捨ておむつ。
【請求項６】
前記吸収コアよりも肌面側に位置する肌面シートと、前記吸収コアよりも非肌面側に位置する非肌面シートと、を有し、
前記変形誘導部は、スリットを有しており、
前記スリットと重なる領域の少なくとも一部において、前記肌面シートと前記非肌面シートとが接合されている、請求項１から請求項５のいずれか１項に記載の使い捨ておむつ。
【請求項７】
前記一対の変形誘導部の間の領域には、平面視にて、前記格子圧搾部とは異なる形状に配置された補助圧搾部が形成されており、
前記一対の変形誘導部の間の領域には、
前記格子圧搾部と前記補助圧搾部が厚さ方向に重なった領域と、
前記補助圧搾部が配置され、かつ前記格子圧搾部が配置されていない領域と、
前記格子圧搾部が配置され、かつ前記補助圧搾部が配置されていない領域と、が設けられている、請求項１から請求項６のいずれか１項に記載の使い捨ておむつ。
【請求項８】
前記使い捨ておむつの非肌面側から視認可能な装飾部が設けられており、
前記装飾部の少なくとも一部は、前記変形誘導部の近傍又は前記変形誘導部と重なる領域において前記前後方向に延びている、請求項１から請求項７のいずれか１項に記載の使い捨ておむつ。
【請求項９】
前記装飾部は、前記前後方向において前記変形誘導部が配置された領域の全域に配置されている、請求項８に記載の使い捨ておむつ。
【請求項１０】
前記一対の変形誘導部の間の領域には、前記前後方向に延びるインジケータが設けられており、
前記インジケータと前記格子圧搾部が重なる領域と、前記インジケータと前記格子圧搾部が重ならない領域と、が設けられている、請求項１から請求項９のいずれか１項に記載の使い捨ておむつ。
【請求項１１】
前記変形誘導部は、前記前後方向に伸縮する股下伸縮部と、周囲よりも目付が低い低坪量部と、を有し、
前記前後方向において前記低坪量部が配置された領域の少なくとも一部には、前記前後方向に伸縮する股下伸縮部が配置されている、請求項１から請求項１０のいずれか１項に記載の使い捨ておむつ。
【請求項１２】
前記股下伸縮部の少なくとも一部は、前記低坪量部と厚さ方向に重なる領域に配置されている、請求項１１に記載の使い捨ておむつ。
【請求項１３】
ファスニングテープは、前記前胴回り域に係合する係合部を有し、
前記股下伸縮部の後端縁は、前記使い捨ておむつの前記前後方向の中心と前記係合部の前端縁との前記前後方向の中間線よりも前側に配置されている、請求項１１又は請求項１２に記載の使い捨ておむつ。
【請求項１４】
ファスニングテープは、前記前胴回り域に係合する係合部を有し、
前記股下伸縮部の後端縁は、前記使い捨ておむつの前記前後方向の中心と前記係合部の前端縁との前記前後方向の中間線よりも後側に配置されている、請求項１１又は請求項１２に記載の使い捨ておむつ。
【考案の詳細な説明】
【技術分野】
【０００１】
本考案は、吸収コアに格子状に配置された格子圧搾部を有する使い捨ておむつに関する。
【背景技術】
【０００２】
吸収コアに格子状に配置された格子圧搾部を有する使い捨ておむつが開示されている（例えば、特許文献１参照）。格子圧搾部は、前後方向及び幅方向に傾斜する第１傾斜方向に延びる第１圧搾部と、第１傾斜方向と交差する第２傾斜方向に延びる第２圧搾部、を有する。第１圧搾部及び第２圧搾部は、それぞれ吸収コアの全域に亘って形成されている。よって、吸収コアの全域に亘って、剛性を高めるとともに、体液の吸収後の膨らみを抑え、装着感を向上できる。
【先行技術文献】
【特許文献】
【０００３】
２０１４−１００２６２号公報
【考案の概要】
【考案が解決しようとする課題】
【０００４】
上述の使い捨ておむつは、吸収コアの全域に亘って格子圧搾部が形成され、吸収コアの全域に亘って剛性が高くなる。吸収コアの剛性が高くなることにより、身体に対するフィット性を十分に得ることができないおそれがあった。
【０００５】
よって、身体に対するフィット性をより高めることにより、身体に対する隙間を抑制し、漏れを抑制できる使い捨ておむつが望まれる。
【課題を解決するための手段】
【０００６】
一態様に係る使い捨ておむつは、互いに直交する前後方向及び幅方向と、前胴回り域、後胴回り域、及び前記前胴回り域及び前記後胴回り域との間に配置された股下域と、少なくとも前記股下域に配置された吸収コアと、前記吸収コアにおいて格子状に配置された格子圧搾部と、を有する使い捨ておむつであって、前記股下域の前記吸収コアは、前記前後方向に延び、かつ前記幅方向に間隔を空けて配置された一対の変形誘導部によって変形可能であり、前記格子圧搾部の少なくとも一部は、前記一対の変形誘導部によって挟まれた領域に設けられている。
【図面の簡単な説明】
【０００７】
【図１】実施形態に係る使い捨ておむつの肌面側から見た平面図である。
【図２】実施形態に係る使い捨ておむつ非肌面側から見た平面図である。
【図３】実施形態に係る吸収コアの平面図である。
【図４】図１に示す使い捨ておむつのＡ−Ａ断面に沿った模式断面図である。
【図５】図１に示す使い捨ておむつのＢ−Ｂ断面に沿った模式断面図である。
【図６】使い捨ておむつのＡ−Ａ断面における装着状態を模式的に示した図である。
【図７】実施形態に係る使い捨ておむつの装着状態を模式的に示した図である。
【考案を実施するための形態】
【０００８】
（１）実施形態の概要
本明細書及び添付図面の記載により、少なくとも以下の事項が明らかとなる。
一態様に係る使い捨ておむつは、互いに直交する前後方向及び幅方向と、前胴回り域、後胴回り域、及び前記前胴回り域及び前記後胴回り域との間に配置された股下域と、少なくとも前記股下域に配置された吸収コアと、前記吸収コアにおいて格子状に配置された格子圧搾部と、を有する使い捨ておむつであって、前記股下域の前記吸収コアは、前記前後方向に延び、かつ前記幅方向に間隔を空けて配置された一対の変形誘導部によって変形可能であり、前記格子圧搾部の少なくとも一部は、前記一対の変形誘導部によって挟まれた領域に設けられている。
【０００９】
本態様によれば、股下域の吸収コアは、着用時に前後方向に延びる変形誘導部を基点に変形する。このとき、一対の変形誘導部間の領域は、格子圧搾部によって剛性が高められ、身体に沿った平面状態を維持し易い。よって、変形誘導部を基点とした変形状態及び一対の変形誘導部間が身体に沿った平面状態を維持し易くなり、身体に対する隙間を低減し、漏れを抑制できる。加えて、格子圧搾部が格子状に配置されているため、一対の変形誘導部の間の領域には、格子圧搾部が形成されていない部分が形成される。一対の変形誘導部の間の領域の全域に面状の圧搾部が形成されている構成と比較して、体液の吸収性能を確保し易い。
【００１０】
好ましい一態様によれば、前記格子圧搾部は、前記変形誘導部よりも前記幅方向の外側の領域にも設けられてよい。
【００１１】
本態様によれば、変形誘導部よりも幅方向の外側の領域は、着用時に脚に当たる領域となる。変形誘導部よりも幅方向の外側の領域は、格子圧搾部によって剛性が高くなり、脚の動きに追従し易く、身体に沿った形状を維持し易くなる。
【００１２】
好ましい一態様によれば、前記格子圧搾部は、前記一対の変形誘導部よりも前側の領域及び前記一対の変形誘導部よりも後側の領域にも設けられてよい。
【００１３】
本態様によれば、変形誘導部よりも前側の領域及び変形誘導部よりも後側の領域は、格子圧搾部よって剛性が高くなり、身体を覆うように配置され易い。また、変形誘導部による変形を格子圧搾部によって分断、変形誘導部よりも前側の領域及び変形誘導部よりも後側の領域に変形が到達し難くなる。吸収コアの前後方向の全域に亘って変形誘導部による変形基点が形成されることを抑制し、臀部及び腹部に対する隙間を抑制し、漏れを抑制できる。
【００１４】
好ましい一態様によれば、前記格子圧搾部は、前記前後方向及び前記幅方向に対して傾斜する第１傾斜方向に延びる第１格子圧搾部と、前記第１傾斜方向と交差する第２傾斜方向に延び、かつ前記第１格子圧搾部と連なる第２格子圧搾部と、を有してよい。
【００１５】
本態様によれば、第１格子圧搾部は、幅方向に対して傾斜し、幅方向に対する力に対抗し易い。着用者の脚によって挟まれた際に一対の変形誘導部間の領域を平面状態に維持し易く、身体に沿った形状をより維持できる。また、少なくとも第１格子圧搾部は、前後方向に対して傾斜し、前後方向に延びる変形基点を分断する効果を得やすい。
【００１６】
好ましい一態様によれば、前記変形誘導部は、前記幅方向の内側に向かって凸状に湾曲する形状であってよい。
【００１７】
本態様によれば、変形誘導部の凸状の頂点によって挟まれた領域を股間に対して身体側に凸状に変形させ、股間に対するフィット性を向上できる。また、凸状の頂点から前後方向に離れる側に向かって変形誘導部の挟まれた領域の幅方向の長さが長くなり、広い面積で吸収コアを当て、前漏れ及び後漏れを抑制し易い。
【００１８】
好ましい一態様によれば、前記吸収コアよりも肌面側に位置する肌面シートと、前記吸収コアよりも非肌面側に位置する非肌面シートと、を有し、前記変形誘導部は、スリットを有しており、前記スリットと重なる領域の少なくとも一部において、前記肌面シートと前記非肌面シートとが接合されてよい。
【００１９】
本態様によれば、肌面シートと非肌面シートとが接合されているため、体液を吸収した後もスリットの形状を維持し易い。よって、変形誘導部を基点とした変形状態を維持し、身体に対する隙間を抑制し、漏れを抑制する効果を継続できる。また、低坪量部（スリット）は、周囲の領域よりも坪量が低く、体液を吸収した後も厚さを抑えることができ、吸収コアの変形状態をより維持し易い。
【００２０】
好ましい一態様によれば、前記一対の変形誘導部の間の領域には、平面視にて、前記格子圧搾部とは異なる形状に配置された補助圧搾部が形成されており、前記一対の変形誘導部の間の領域には、前記格子圧搾部と前記補助圧搾部が厚さ方向に重なった領域と、前記補助圧搾部が配置され、かつ前記格子圧搾部が配置されていない領域と、前記格子圧搾部が配置され、かつ前記補助圧搾部が配置されていない領域と、が設けられてよい。
【００２１】
本態様によれば、一対の変形誘導部の間の領域の剛性を補助圧搾部によってより高めることができる。また、補助剛性部の形状と格子圧搾部の形状が異なり、補助圧搾部のみが配置された領域、格子圧搾部のみが配置された領域、及び補助圧搾部と格子圧搾部の両方が配置された領域が設けられる。補助圧搾部と格子圧搾部の両方が配置された領域は、一対の変形誘導部の間の領域内で最も圧搾され、一対の変形誘導部の間の領域内で更なる変形基点となり易い。一対の変形誘導部の間の領域内に更なる変形基点が形成されることにより、吸収コアに複数の変形基点が形成され、より身体に対してフィットできる。
【００２２】
好ましい一態様によれば、前記使い捨ておむつの非肌面側から視認可能な装飾部が設けられており、前記装飾部の少なくとも一部は、前記変形誘導部の近傍又は前記変形誘導部と重なる領域において前記前後方向に延びてよい。
【００２３】
本態様によれば、変形誘導部による変形基点の少なくとも一部に前後方向に延びる装飾部が配置される。よって、着用された状態で使い捨ておむつの外側から視認した使用者が、変形誘導部を基点とした変形を把握できる。
【００２４】
好ましい一態様によれば、前記装飾部は、前記前後方向において前記変形誘導部が配置された領域の全域に配置されてよい。
【００２５】
本態様によれば、使用者が、変形誘導部の全域に亘って、変形誘導部を基点とした変形を把握できる。
【００２６】
好ましい一態様によれば、前記一対の変形誘導部の間の領域には、前記前後方向に延びるインジケータが設けられており、インジケータと前記格子圧搾部が重なる領域と、前記インジケータと前記格子圧搾部が重ならない領域と、が設けられてよい。
【００２７】
本態様によれば、インジケータと格子圧搾部が重なる領域は、格子圧搾部によって体液の引き込み性が高く、インジケータの呈色反応が生じやすい。インジケータと格子圧搾部が重ならない領域は、格子圧搾部によって体液の引き込み性が低く、インジケータの呈色反応が生じ難い。よって、少量の体液を吸収した際には、インジケータと格子圧搾部が重なる領域においてインジケータが呈色反応し、更なる体液を吸収した際には、インジケータと格子圧搾部が重ならない領域において、インジケータが呈色反応する。体液の吸収態様をインジケータによって把握し易くなる。
【００２８】
好ましい一態様によれば、前記変形誘導部は、前記前後方向に伸縮する股下伸縮部と、周囲よりも目付が低い低坪量部と、を有し、前記前後方向において前記低坪量部が配置された領域の少なくとも一部には、前記前後方向に伸縮する股下伸縮部が配置されてよい。
【００２９】
本態様によれば、吸収コアは、低坪量部を基点に変形し、低坪量部を基点に変形した領域を股下伸縮部によって引き上げることができる。
【００３０】
前記股下伸縮部の少なくとも一部は、前記低坪量部と厚さ方向に重なる領域に配置されてよい。
【００３１】
本態様によれば、低坪量部が設けられた領域は、低坪量部が設けられていない領域と比較して剛性が低く、股下伸縮部の収縮力がより発現し易い。股下伸縮部の収縮によって、低坪量部を身体側により引き上げ易くなる。よって、低坪量部を凸状の頂点として吸収コアが変形し易くなる。
【００３２】
好ましい一態様によれば、ファスニングテープは、前記前胴回り域に係合する係合部を有し、前記股下伸縮部の後端縁は、前記使い捨ておむつの前記前後方向の中心と前記係合部の前端縁との前記前後方向の中間線よりも前側に配置されてよい。
【００３３】
本態様によれば、使い捨ておむつの前後方向の中心と係合部の前端縁との中間線よりも後側は、装着時に臀部が載せられる領域である。臀部が載せられる領域は、股下伸縮部によって収縮せず、身体に対して平面な状態で身体に当てることができる。また、股下伸縮部の後端縁は、中間線よりも前側に位置し、着用者の臀部が載せられない領域に配置される。装着時には、中間線よりも後側の領域が臀部によって押さえられた状態で、臀部が載せられていない領域が前側に引っ張られ、股下伸縮部が伸長し易い。よって、股下伸縮部が配置された領域が身体に対して引き上げ、身体に対する隙間を低減し、漏れを抑制できる。
【００３４】
好ましい一態様によれば、ファスニングテープは、前記前胴回り域に係合する係合部を有し、前記股下伸縮部の後端縁は、前記使い捨ておむつの前記前後方向の中心と前記係合部の前端縁との前記前後方向の中間線よりも後側に配置されてよい。
【００３５】
股下伸縮部の後端縁は、中間線よりも後側に位置し、着用者の臀部が載せられる領域に配置される。装着時には、股下伸縮部の後端縁が臀部によって押さえられた状態で、股下伸縮部の前端縁側が前側に引っ張られ、股下伸縮部が伸長し易い。よって、股下伸縮部が配置された領域が身体に対して引き上げ、着用者の股間に吸収コアを適切により収めることができる。
【００３６】
（２）使い捨ておむつの全体概略構成
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３７】
使い捨ておむつは、テープ型の使い捨ておむつであってもよいし、パンツ型の使い捨ておむつであってもよい。図１は、本実施形態に係る使い捨ておむつ１０の肌面側から見た平面図であり、図２は、本実施形態に係る使い捨ておむつ１０の非肌面側から見た平面図である。図３は、実施形態に係る吸収コアを肌面側から見た平面図である。図１から図３に示す平面図は、伸長状態の使い捨ておむつを示している。図４は、図１に示す使い捨ておむつのＡ−Ａ断面に沿った模式断面図である。図５は、図１に示す使い捨ておむつのＢ−Ｂ断面に沿った模式断面図である。なお、本考案における伸長状態とは、使い捨ておむつ１０を皺が形成されない状態まで伸長させた状態である。また、本考案における自然状態とは、パッケージに収容されている使い捨ておむつ１０にあっては、パッケージから使い捨ておむつ１０を取り出し、２０℃±２℃、相対湿度６０％±５％ＲＨの雰囲気下において２４時間放置した状態である。
【００３８】
使い捨ておむつ１０は、互いに直交する前後方向Ｌ及び幅方向Ｗを有する。前後方向Ｌは、身体前側と身体後側とに延びる方向によって規定される。言い換えると、前後方向Ｌは、展開された使い捨ておむつ１０において前後に延びる方向である。また、使い捨ておむつ１０は、前後方向Ｌと幅方向Ｗの両方の直交する厚さ方向Ｔを有する。厚さ方向Ｔは、着用者側に向かう肌面側Ｔ１と、肌面側と反対側の非肌面側Ｔ２と、に延びる。
【００３９】
使い捨ておむつ１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域であり、装着時に身体（臀部）が載せられる領域を含む。股下域Ｓ３は、着用者の股下に位置し、前胴回り域Ｓ１と後胴回り域Ｓ２との間に配置された領域である。股下域Ｓ３は、着用者の脚回りに配置される脚回り開口部が設けられた領域である。脚回り開口部は、使い捨ておむつの外側縁から幅方向の内側に凹む部分である。
【００４０】
使い捨ておむつ１０は、吸収材料を含む吸収コア３１を含む。吸収コア３１は、粉砕パルプもしくは高吸収性ポリマー（ＳＡＰ）、又はこれらの混合物等の吸収材料を含む。吸収コア３１は、コアラップ３２によって覆われてよい。吸収コア３１とコアラップ３２によって吸収体３０が構成されてよい。コアラップ３２は、テッシュによって構成され、吸収コア３１の肌面側Ｔ１と吸収コアの非肌面側Ｔ２に配置されてよい。コアラップ３２は、２枚であって、吸収コア３１の肌面側Ｔ１と吸収コアの非肌面側Ｔ２にそれぞれ配置されてもよいし、１枚であって、吸収コア３１を囲むように配置されていてもよい。
【００４１】
図１及び図４に示すように、吸収コア３１を含む吸収体３０の肌面側Ｔ１には、表面シート２１及びサイドシート２２が設けられてよい。表面シート２１は、吸収体３０の幅方向Ｗの中心を跨いで配置されてよい。サイドシート２２は、表面シート２１の外側部を覆うように配置されてよい。表面シート２１及びサイドシート２２は、例えば不織布や開孔プラスチックフィルムのような透液性シートによって構成されていてよい。サイドシート２２の内側部は、折り返されて重なってよい。重なったサイドシート２２間には、前後方向Ｌに伸縮する防漏伸縮部４３が設けられてよい。防漏伸縮部４３は、前後方向Ｌに伸縮する糸ゴムによって構成されてよい。サイドシート２２と防漏伸縮部４３は、着用時に肌面側Ｔ１に起立する防漏ギャザー６０を構成する。
【００４２】
吸収体３０の非肌面側Ｔ２には、裏面シート２３及び外装シート２４が設けられてよい。外装シート２４は、裏面シート２３の非肌面側Ｔ２に設けられてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短い。裏面シート２３は、液不透過性のフィルムによって構成されてよい。外装シート２４は、液透過性の不織布によって構成されてよい。
【００４３】
使い捨ておむつは、吸収コア３１よりも肌面側に位置する肌面シートと、吸収コア３１よりも非肌面側に位置する非肌面シートと、を有する。肌面シートは、吸収コアの肌面側に位置するコアラップ３２、表面シート２１、及びサイドシート２２を含む。非肌面シートは、吸収コアの非肌面側に位置するコアラップ３２、裏面シート２３、及び外装シート２４を含む。
【００４４】
後胴回り域の外側部には、ファスニングテープ９１が設けられている。ファスニングテープ９１は、ベース部９２と係合部９３を有する。ベース部９２は、厚さ方向Ｔにおいて外装シート２４及びサイドシート２２の間に配置され、幅方向Ｗにおいて外装シート２４及びサイドシート２２から外側に延出している。係合部９３は、ベース部９２上に配置されており、ターゲット部９５に係合する。ターゲット部９５は、前胴回り域Ｓ１において幅方向に間隔を空けて配置されており、ファスニングテープ９１がそれぞれ止着するように構成されている。
【００４５】
裏面シート２３と吸収体３０の間には、インジケータ５１が配置されてよい。インジケータ５１は、前後方向Ｌに延び、かつ幅方向Ｗに間隔を空けて配置されてよい。インジケータ５１は、後述する低坪量部３３の間に配置されている。インジケータ５１は、吸収体が体液を吸収することによって変色し、使い捨ておむつ１０の非肌面側Ｔ２から体液の吸収状態を把握できるように構成されている。
【００４６】
使い捨ておむつ１０は、吸収コア３１よりも幅方向の外側において前後方向に伸縮する脚回り伸縮部４２を有してよい。脚回り伸縮部４２は、サイドシート２２と裏面シート２３の間、及びサイドシート２２と外装シート２４の間に設けられてよい。脚回り伸縮部４２は、前後方向Ｌに伸縮する帯状の伸縮シートによって構成されている。脚回り伸縮部４２の収縮によって、着用時に使い捨ておむつ１０の脚回り開口部が脚回りにフィットする。
【００４７】
使い捨ておむつ１０は、使い捨ておむつの後端縁に沿って幅方向Ｗに延びる腰回り伸縮部４５を有してよい。腰回り伸縮部４５は、裏面シート２３と外装シート２４の間、表面シート２１と外装シート２４の間、及びサイドシート２２と外装シート２４の間に設けられてよい。腰回り伸縮部４５の後端縁は、使い捨ておむつの後端縁よりも前側に位置し、腰回り伸縮部４５の前端縁は、吸収コア３１の後端縁よりも前側に位置してよい。腰回り伸縮部４５は、吸収コア３１よりも幅方向Ｗの外側に延出してよい。腰回り伸縮部４５は、幅方向Ｗに伸縮する帯状の伸縮シートによって構成されている。
【００４８】
使い捨ておむつ１０は、股下域の吸収コア３１に重なる領域に設けられた一対の股下伸縮部４１を有してよい。股下伸縮部４１は、吸収コア３１よりも非肌面側に配置されている。股下伸縮部４１は、収縮によって吸収コアを変形させるように構成されており、本考案の「変形誘導部」を構成する。股下伸縮部４１は、裏面シート２３と外装シート２４の間に設けられてよい。股下伸縮部４１は、前後方向Ｌに延び、かつ幅方向Ｗに間隔を空けて配置されている。股下伸縮部４１は、吸収コア３１の幅方向Ｗの中心に配置されてなく、吸収コア３１の幅方向Ｗの中心に対する両側にそれぞれ２本ずつ配置されている。よって、股下伸縮部４１の収縮によって、股下伸縮部４１と重なる領域の吸収コアが、吸収コアの幅方向の中心よりも身体側に引き上げられる。一対の股下伸縮部４１は、吸収コア３１の外側縁よりも幅方向の内側に位置してよい。一対の股下伸縮部４１間に位置する領域は、一対の股下伸縮部４１よりも幅方向の外側の領域に対して身体側に引き上げられる。よって、吸収コアの幅方向の中心が側部を基点として凸状に変形し、身体の股間に対するフィット性を確保できる。股下伸縮部４１は、前後方向Ｌに沿って配置された糸ゴムによって構成されている。なお、他の形態において、股下伸縮部４１は、前後方向に伸縮する帯状の伸縮シートによって構成されてよいし、１本の糸ゴムによって構成されていてもよいし、３本以上の糸ゴムによって構成されてもよい。また、本考案において重なっている状態とは、平面視にて一方の部材と他方の部材が重なっている状態であり、一方の部材の肌面側又は非肌面側に他方の部材が配置されている状態である。重なっている状態では、一方の部材と他方の部材が互いに接している状態のみならず、一方の部材と他方の部材の間に他の部材が介在している構成も含む。
【００４９】
股下伸縮部４１は、使い捨ておむつの前後方向の中心１０ＬＣを跨がってよい。股下伸縮部４１の収縮によって、使い捨ておむつの前後方向の中心１０ＬＣを身体側に引き上げることができる。特に、使用前に使い捨ておむつの肌面側どうしが向き合うように二つに折り畳まれた形態にあっては、折り畳みによる折り癖を引き上げることができる。なお、他の形態において、股下伸縮部４１は、使い捨ておむつの前後方向の中心１０ＬＣを跨がってなく、中心１０ＬＣよりも前側のみに配置されていてもよいし、中心１０ＬＣよりも後側のみに配置されていてもよい。
【００５０】
股下伸縮部４１は、吸収コア３１の外側縁よりも幅方向Ｗの内側に位置する。吸収コア３１の股下伸縮部４１よりも幅方向Ｗの外側には、股下伸縮部４１の収縮力が作用し難い領域が設けられる。図３において、吸収コア３１において股下伸縮部４１よりも外側に位置するサイド領域Ｒ３１と、サイド領域Ｒ３１の間の中央領域Ｒ３２と、を示す。サイド領域Ｒ３１は、最も幅方向Ｗの外側に位置する股下伸縮部４１よりも幅方向Ｗの外側に位置する領域である。中央領域Ｒ３２は、股下伸縮部４１と重なる領域及び股下伸縮部４１よりも幅方向Ｗの内側に位置する領域を合わせた領域である。中央領域Ｒ３２は、股下伸縮部４１の収縮によって、サイド領域Ｒ３１に対して身体側に引き上げられる。着用時の吸収コア３１の変形態様については、後述にて詳細に説明する。
【００５１】
また、本考案における防漏伸縮部４３、脚回り伸縮部４２、腰回り伸縮部４５、及び股下伸縮部４１を含む伸縮部は、糸ゴムや伸縮性シートなどの弾性部材が伸縮可能な状態で配置された部分であり、伸縮しない状態で弾性部材が配置された部分を含まない。すなわち、伸縮部は、伸縮部を構成する弾性部材の有効長部分である。
【００５２】
使い捨ておむつ１０は、おむつの非肌面側から視認可能な装飾部８１を有してよい。おむつの非肌面は、着用時に、着用者の肌側に向けられる面とは反対側の面である。なお、本考案における「視認可能」とは、昼白色（色温度目安 ４６００〜５４００ Ｋ（ケルビン））で明るく照明された室内(目安：５００〜７５０ ｌｘ（ルクス））で約３０〜５０ｃｍの距離で、良好な視力（１．０以上）を両眼に有する被験者が対象物を見たときに視認できる事を意味している。装飾部８１は、裏面シート２３の非肌面に設けられていてもよいし、外装シート２４の肌面に設けられていてもよいし、吸収体の非肌面に設けられていてもよい。本実施の形態の装飾部８１は、裏面シートの肌面に印刷されている。装飾部８１は、インジケータ５１よりも幅方向の外側において、幅方向に間隔を空けて一対で配置されている。すなわち、インジケータ５１は、一対の装飾部８１の間の領域に設けられている。装飾部８１は、前後方向Ｌに延びている。装飾部８１は、変形誘導部の近傍又は変形誘導部と重なる部位に設けられている。ここで装飾部８１を、変形誘導部の近傍に設ける場合、図２に示すような、展開且つ伸長状態のおむつの平面視において、装飾部８１と変形誘導部とが隣接しているか、又は変形誘導部と装飾部８１との離間距離が１０ｍｍ以下、特に５ｍｍ以下であることが好ましい。
【００５３】
（３）吸収コアの構成
次いで、図３を参照して、吸収コア３１の構成について詳細に説明する。吸収コア３１は、吸収コア３１の最大幅３１Ｍよりも幅方向の長さが短い幅狭部３５と、幅狭部３５の前後方向の外側に配置された幅広部と、を有する。幅狭部３５は、前後に配置された幅広部の間に配置されている。幅狭部３５の幅方向の長さは、前後方向Ｌの外側に向かって長くなっている。吸収コア３１の平面視の形状は、砂時計形状である。なお、吸収コア３１のみならず、コアラップを含んだ吸収体の形状が、砂時計形状であってもよい。
【００５４】
吸収コア３１は、周囲の領域よりも吸収材料の坪量が低い低坪量部３３を有してよい。低坪量部３３は、前後方向Ｌに沿って設けられている。低坪量部３３は、前後方向Ｌに延びていればよく、前後方向Ｌに対して平行であってもよいし、前後方向Ｌに対して９０度未満の角度で傾斜してもよい。
【００５５】
低坪量部３３は、周囲の吸収コア３１よりも吸収材料の坪量が低い部分であり、周囲の吸収コア３１よりも厚さが薄く、かつ剛性が低い。よって、低坪量部３３は、装着状態で吸収コア３１の変形基点となり、本考案の「変形誘導部」を構成する。吸収コア３１には、着用状態で前後方向に延びる変形基点が形成され易い。変形誘導部は、吸収コアを変形可能とする構成であればよく、上述の股下伸縮部４１のみによって構成されていてもよいし、低坪量部３３のみによって構成されていてもよいし、低坪量部３３と股下伸縮部４１の両方によって構成されていてもよい。なお、低坪量部３３からなる「変形誘導部」は、周囲の領域よりも坪量が低く、体液を吸収した後も厚さを抑えることができ、変形状態を維持できる。股下伸縮部４１からなる「変形誘導部」は、股下伸縮部４１の収縮によって吸収コアを身体側に引き上げることができ、股下域の吸収コアを身体側に凸状に変形させ易い。股下伸縮部４１及び低坪量部３３からなる「変形誘導部」は、周囲の領域よりも坪量が低い部分が股下伸縮部４１の収縮によって引き上げられるため、より身体側に凸状の変形を実現しやすくなる。
【００５６】
低坪量部３３は、吸収材料の坪量が実質的に零の部分であるスリット（設計上の坪量が０であるが、周囲の吸収材料が混入した部分を含む）であってもよいし、周囲よりも少ない坪量の吸収材料が配置された部分であってもよい。低坪量部３３は、幅方向Ｗに一定の長さを有するスリットであってもよいし、幅方向Ｗの長さが実施的に零である切り込みであってもよい。各低坪量部３３の幅方向Ｗの長さは、２ｍｍ以上１０ｍｍ以下であってよく、低坪量部３３の前後方向Ｌの長さは、３０ｍｍ以上１８０ｍｍ以下であってよく、より好適には、吸収コア３１の厚さ以上、８ｍｍ以下でよい。低坪量部３３の幅方向の長さが吸収コア３１の厚さ以上であることにより、低坪量部３３を基点に吸収コア３１が厚さ方向に変形し易くなる。また、低坪量部３３の幅方向の長さが８ｍｍ以下であることにより、低坪量部の幅方向の長さが長いことによる吸収性能に対する不安感を抑制できる。
【００５７】
低坪量部３３は、幅方向Ｗに間隔を空けて一対で配置されている。低坪量部３３は、使い捨ておむつの幅方向の中心１０ＷＣの両側に、幅方向Ｗに間隔を空けて配置されてよい。低坪量部３３の前後方向の中心は、使い捨ておむつの前後方向の中心１０ＬＣよりも後側に配置されてよい。
【００５８】
吸収コア３１は、周囲の領域よりも剛性が高い高剛性部７０を有してよい。高剛性部７０は、一対の股下伸縮部４１の間に配置された中央高剛性部７１と、股下伸縮部４１よりも後側に配置された後高剛性部７２と、股下伸縮部４１よりも前側に配置された前高剛性部７３と、を有してよい。中央高剛性部７１、後高剛性部７２及び前高剛性部７３は、それぞれ前後方向Ｌにおいて離間している。
【００５９】
高剛性部７０は、周囲の領域よりも曲げ剛性が高い領域である。高剛性部７０は、周囲の領域よりも目付が高い部分であってもよいし、吸収コア３１が厚さ方向に圧縮された部分であってもよい。本実施の形態の高剛性部７０は、吸収コア３１が圧縮された圧搾部が設けられた部分である。圧搾部は、少なくとも吸収コア３１を厚さ方向Ｔに圧搾することによって形成されていればよく、コアラップ３２等の他の部材と吸収コア３１とが圧搾されることによって形成されてもよい。
【００６０】
中央高剛性部７１は、一対の低坪量部３３間の領域に設けられている。中央高剛性部７１の前端縁は、低坪量部３３の前端縁と一致又は低坪量部３３の前端縁よりも後側に位置してよい。中央高剛性部７１の後端縁は、低坪量部３３の後端縁よりも前側に位置してよい。中央高剛性部７１の前後方向の中心は、低坪量部３３の前後方向中心よりも前側に配置されてよい。中央高剛性部７１は、幅方向Ｗにおいて、低坪量部３３と間隔を空けて配置されてよい。中央高剛性部７１は、使い捨ておむつの前後方向の中心１０ＬＣ及び使い捨ておむつの幅方向Ｗの中心１０ＷＣを跨がってよい。
【００６１】
股下伸縮部４１は、中央高剛性部７１の幅方向の中心よりも両側に位置し、中央高剛性部７１よりも後側に延出してよい。吸収コア３１は、中央高剛性部７１よりも後側において股下伸縮部４１が配置された第１領域Ｒ４１と、中央高剛性部７１と股下伸縮部４１が厚さ方向又は幅方向において重なった第２領域Ｒ４２と、股下伸縮部４１よりも前側において中央高剛性部７１が配置された第３領域Ｒ４３と、を有してよい。第１領域Ｒ４１と第２領域Ｒ４２は、前後方向Ｌにおいて隣接しており、第２領域Ｒ４２と第３領域Ｒ４３は、前後方向Ｌにおいて隣接している。第１領域Ｒ４１の後端縁は、股下伸縮部４１の後端縁４１Ｒと一致し、第１領域Ｒ４１の前端縁は、中央高剛性部７１の後端縁７１Ｒと一致する。第２領域Ｒ４２の後端縁は、第１領域Ｒ４１の前端縁と一致し、第２領域Ｒ４２の前端縁は、股下伸縮部４１の前端縁４１Ｆと一致する。第３領域Ｒ４３の後端縁は、第２領域Ｒ４２の前端縁と一致し、第３領域Ｒ４３の前端縁は、中央高剛性部７１の前端縁７１Ｆと一致する。
【００６２】
中央高剛性部７１は、圧搾部が形成された部分であり、一対の変形誘導部の間に配置されている。中央高剛性部７１は、本考案の補助圧搾部を構成する。中央高剛性部７１の平面視の形状は、長方形であり、格子圧搾部８５の平面視の形状と異なる。中央高剛性部７１の少なくとも一部は、格子圧搾部８５と重なっている。
【００６３】
後高剛性部７２は、低坪量部３３よりも後側に配置されてよい。後高剛性部７２の外側縁は、後側に向かって幅方向Ｗの外側に延びてよい。後高剛性部７２の前端縁の幅方向Ｗの長さは、中央高剛性部７１の幅方向Ｗの長さよりも長くてよい。後高剛性部７２は、使い捨ておむつの幅方向Ｗの中心１０ＷＣを跨がってよい。
【００６４】
前高剛性部７３は、低坪量部３３よりも前側に配置されてよい。前高剛性部７３は、使い捨ておむつの幅方向Ｗの中心１０ＷＣの両側に、幅方向Ｗに間隔を空けて配置されてよい。前高剛性部７３の前端縁は、幅方向Ｗの外側に向かって前側に延びてよい。
【００６５】
図３に示すように、吸収コア３１は、格子状に配置された格子圧搾部８５を有する。格子圧搾部８５は、少なくとも吸収コア３１が厚さ方向に圧縮されていればよく、コアラップ３２も圧縮されていてもよいし、表面シートも圧縮されていてもよい。格子圧搾部８５は、平面視にて格子状に配置されている。格子圧搾部は、吸収性物品の前後方向及び幅方向と交差する第１傾斜方向に延びる第１格子圧搾部８５Ａと、第１格子圧搾部８５Ａと交差し、かつ前後方向及び幅方向と交差する第２傾斜方向に延びる第２格子圧搾部８５Ｂと、を有する。第１格子圧搾部８５Ａ及び第２格子圧搾部８５Ｂは、前後方向に交互に連なって形成され、幅方向において間隔を空けて交互に形成されている。よって、吸収体には、前後方向に連続する波状の線状圧搾部が複数形成されている。第１格子圧搾部８５Ａの前後方向の長さは、第１格子圧搾部の幅方向の長さよりも長く、第２格子圧搾部８５Ｂの前後方向の長さは、第２格子圧搾部８５Ｂの幅方向の長さよりも長い。よって、幅方向に隣り合う線状圧搾部間において、格子圧搾部８５によって囲まれた非圧搾領域の形状は、幅方向の寸法よりも前後方向の寸法が長い。
【００６６】
複数の線状圧搾部は、第１格子圧搾部８５Ａ及び第２格子圧搾部８５Ｂの組み合わせによって構成されている。複数の線状圧搾部は、前後方向Ｌに沿って延びており、幅方向に湾曲又は屈曲した波形に形成されている。互いに隣接する線状圧搾部の波形の位相は、互いに１８０°ずれている。これにより、格子圧搾部８５によって囲まれた非圧搾領域の形状は、略菱形状に形成されている。
【００６７】
格子圧搾部８５は、吸収コアの肌面側Ｔ１及び非肌面側Ｔ２の少なくとも一方に形成されてよい。格子圧搾部８５の少なくとも一部は、一対の変形誘導部によって挟まれた領域に設けられてよい。より詳細には、平面視にて、格子圧搾部８５は、一対の股下伸縮部４１によって挟まれた領域又は一対の低坪量部３３によって挟まれた領域に設けられていればよい。また、格子圧搾部８５は、平面視にて吸収コアの全面に形成されていてもよい。
【００６８】
ここで、本考案における外側部とは、幅方向Ｗにおける外側の縁を含む幅方向Ｗに一定の範囲を占める部分であり、外側縁とは、幅方向Ｗにおける外側の縁である。また、内側部とは、幅方向Ｗにおける内側の縁を含む幅方向Ｗに一定の範囲を占める部分であり、内側縁とは、幅方向Ｗにおける内側の縁である。
【００６９】
（４）使い捨ておむつの着用状態
次いで、図６及び図７に基づいて、使い捨ておむつ１０の着用状態について説明する。図６は、使い捨ておむつのＡ−Ａ断面における着用状態を模式的に示した図である。図７は、実施形態に係る使い捨ておむつの装着状態を模式的に示した図であり、寝た状態の着用者を正面側から視認した図である。図６に示すラインＢＬは、着用者の身体のラインを示している。
【００７０】
使い捨ておむつが着用されると、装着時の引き上げや着用者の脚によって挟まれたりすることにより、股下域Ｓ３の吸収コア３１には肌面側Ｔ１及び幅方向Ｗの内側に向かう力がかかる。股下域Ｓ３の吸収コア３１は、前後方向Ｌに延びる変形誘導部を基点に変形する。より詳細には、吸収コア３１は、着用時に前後方向Ｌに延びる低坪量部３３を基点に変形し、低坪量部３３が身体側に凸状になるように変形し易い。または、股下域Ｓ３の吸収コア３１は、股下伸縮部４１の収縮によって身体側に引き上げられ易い。このとき、一対の変形誘導部間の領域は、格子圧搾部８５によって剛性が高められ、身体に沿った平面状態を維持し易い。よって、変形誘導部を基点とした変形状態及び一対の変形誘導部間が身体に沿った平面状態を維持し易くなり、身体に対する隙間を低減し、漏れを抑制できる。加えて、格子圧搾部８５が格子状に配置されているため、一対の変形誘導部の間の領域には、格子圧搾部８５が形成されていない部分が形成される。一対の変形誘導部の間の領域の全域に面状の圧搾部が形成されている構成と比較して、体液の吸収性能を確保し易い。
【００７１】
格子圧搾部８５は、変形誘導部よりも幅方向の外側の領域にも設けられてよい。本実施の形態では、股下伸縮部４１の外側縁は、低坪量部３３の外側縁と一致している。格子圧搾部は、股下伸縮部４１の外側縁（低坪量部３３の外側縁）よりも幅方向の外側に配置されている。変形誘導部よりも幅方向の外側の領域は、着用時に脚に当たる領域となる。変形誘導部よりも幅方向の外側の領域は、格子圧搾部８５によって剛性が高くなり、脚の動きに追従し易く、身体に沿った形状を維持し易くなる。
【００７２】
格子圧搾部８５は、一対の変形誘導部よりも前側の領域及び一対の変形誘導部よりも後側の領域にも設けられてよい。本実施の形態では、股下伸縮部４１は、低坪量部３３よりも前後方向の内側に配置されている。格子圧搾部８５は、低坪量部３３よりも前側の領域及び低坪量部３３よりも後側の領域にも設けられている。変形誘導部よりも前側の領域及び変形誘導部よりも後側の領域は、格子圧搾部８５よって剛性が高くなり、身体を覆うように配置され易い。
【００７３】
また、変形誘導部による変形を格子圧搾部８５によって分断、変形誘導部よりも前側の領域及び変形誘導部よりも後側の領域に変形が到達し難くなる。吸収コアの前後方向の全域に亘って変形誘導部による変形基点が形成されることを抑制し、臀部及び腹部に対する隙間を抑制し、漏れを抑制できる。
【００７４】
格子圧搾部８５は、前後方向及び幅方向に対して傾斜する第１傾斜方向に延びる第１格子圧搾部８５Ａと、第１傾斜方向と交差する第２傾斜方向に延び、かつ第１格子圧搾部と連なる第２格子圧搾部８５Ｂと、を有してよい。第１格子圧搾部は、幅方向に対して傾斜し、幅方向に対する力に対抗し易い。着用者の脚によって挟まれた際に一対の変形誘導部間の領域を平面状態に維持し易く、身体に沿った形状をより維持できる。また、少なくとも第１格子圧搾部８５Ａは、前後方向に対して傾斜し、前後方向に延びる変形基点を分断する効果を得やすい。より好適には、第２傾斜方向も、前後方向及び幅方向に対して傾斜していることが好ましい。一対の変形誘導部間の領域を平面状態により維持し易く、身体に沿った形状をより維持できる。
【００７５】
変形誘導部は、スリットを有しており、スリットと重なる領域の少なくとも一部において、肌面シートと非肌面シートとが接合されてよい。本実施の形態では、肌面シートとしてのコアラップ３２と非肌面シートとしてのコアラップ３２が接合されている。肌面シートと非肌面シートとが接合されているため、体液を吸収した後もスリットの形状を維持し易い。よって、変形誘導部を基点とした変形状態を維持し、身体に対する隙間を抑制し、漏れを抑制する効果を継続できる。また、低坪量部（スリット）は、周囲の領域よりも坪量が低く、体液を吸収した後も厚さを抑えることができ、吸収コアの変形状態をより維持し易い。
【００７６】
図６に示すように、一対の変形誘導部の間の領域には、格子圧搾部８５と中央高剛性部７１が厚さ方向に重なった領域Ｒ５１と、中央高剛性部７１が配置され、かつ格子圧搾部８５が配置されていない領域Ｒ５２と、格子圧搾部８５が配置され、かつ中央高剛性部７１が配置されていない領域Ｒ５３と、が設けられてよい。一対の変形誘導部の間の領域の剛性を補助圧搾部によってより高めることができる。
【００７７】
また、中央高剛性部７１の形状と格子圧搾部８５の形状が異なり、中央高剛性部７１のみが配置された領域Ｒ５２、格子圧搾部８５のみが配置された領域Ｒ５４、格子圧搾部８５及び中央高剛性部７１の両方が配置されていない配置された領域Ｒ５３及び中央高剛性部７１と格子圧搾部８５の両方が配置された領域Ｒ５１が設けられる。中央高剛性部７１と格子圧搾部８５の両方が配置された領域は、一対の変形誘導部の間の領域内で最も圧搾され、一対の変形誘導部の間の領域内で更なる変形基点となり易い。一対の変形誘導部の間の領域内に更なる変形基点が形成されることにより、吸収コアに複数の変形基点が形成され、より身体に対してフィットできる。
【００７８】
変形誘導部の近傍又は変形誘導部重なる部位に、前後方向に延びる装飾部８１が設けられている。装飾部８１によって、変形誘導部によって変形した部位を目立たせることができる。使用者は、装飾部８１と共に変形誘導部による変形態様を視認することで、吸収コア３１が身体にフィットするように変形していることをより把握できる。使用者は、着用状態において、吸収コア３１が身体側に凸状に変形していることを、装飾部８１を介して容易に把握でき、おむつが身体にフィットしていることによる安心感を得やすい。
【００７９】
加えて、股下伸縮部４１は、裏面シート２３と外装シート２４の間に配置されており、おむつの非肌面側に近く、おむつの非肌面側から視認され易い。また、低坪量部３３は、吸収コアの目付が低い部分であり、おむつの非肌面側から視認され易い。すなわち、変形誘導部は、おむつの非肌面側から視認され易く、装飾部８１によって更に視認され易い。使用者は、使用前の状態においても、変形誘導部を視認し易く、股間部に対してフィットするおむつであるという安心感を得ることができる。
【００８０】
装飾部８１は、裏面シート２３の非肌面に設けられてよい。股下伸縮部４１と装飾部８１は、厚さ方向Ｔにおいて近くに配置され、股下伸縮部４１と装飾部８１を一体的に示すことができる。使用者は、装飾部８１を介して吸収コア３１が身体側に凸状に変形していることをより把握でき、漏れに対する安心感をより得やすい。使用者は、使用前の状態においても、装飾部８１を介して股下伸縮部４１を視認しやすくなり、股間部に対してフィットするおむつであるという安心感を得ることができる。
【００８１】
装飾部８１は、前後方向において変形誘導部が配置された領域の全域に配置されてよい。すなわち、変形誘導部から幅方向に延びる直線上には、装飾部８１が配置されてよい。装飾部８１の前端縁は、変形誘導部の前端縁と一致又は変形誘導部の前端縁よりも前側に位置し、装飾部８１の後端縁は、変形誘導部の後端縁と一致又は変形誘導部の後端縁よりも後側に位置してよい。本実施の形態では、装飾部８１は、低坪量部３３よりも前側に延出し、かつ低坪量部３３よりも後側に延出している。使用者は、変形誘導部の全域に亘って、変形誘導部を基点とした変形をより把握し易くなる。
【００８２】
一対の変形誘導部の間の領域には、前後方向に延びるインジケータ５１が設けられており、インジケータ５１と格子圧搾部８５が重なる領域と、インジケータ５１と格子圧搾部８５が重ならない領域と、が設けられてよい。インジケータ５１と格子圧搾部８５が重なる領域は、格子圧搾部８５によって体液の引き込み性が高く、インジケータ５１の呈色反応が生じやすい。インジケータ５１と格子圧搾部８５が重ならない領域は、格子圧搾部８５によって体液の引き込み性が低く、インジケータの呈色反応が生じ難い。よって、少量の体液を吸収した際には、インジケータ５１と格子圧搾部８５が重なる領域においてインジケータ５１が呈色反応し、更なる体液を吸収した際には、インジケータ５１と格子圧搾部８５が重ならない領域において、インジケータが呈色反応する。体液の吸収態様をインジケータ５１によって把握し易くなる。
【００８３】
インジケータと装飾部８１の色差ΔＥは、３．０以上であってよい。出願人が種々検討を重ねた結果、使用者は、一般的に色差ΔＥが３．０以上であると、２つの領域を別の領域として認識し易いことがわかった。使用者は、インジケータと装飾部８１を区別して認識し易くなる。使用者は、吸収コア３１が身体側に凸状に変形していることを、装飾部８１を介して容易に把握でき、漏れに対する安心感をより得やすい。使用者は、使用前の状態においても、装飾部８１を介して変形誘導部を視認しやすくなり、股間部に対してフィットするおむつであるという安心感を得ることができる。
【００８４】
なお、「色差」は、測定対象となる２点（２つの領域）について市販の測色器を用いて測色を行い、ＪＩＳ Ｚ 8729に規定されるＣＩＥ１９７６（L*a*b*）色空間に基づいて数値化した値を比較することによって求めることができる。具体的に、測定対象たる２点間のL*値の差がΔL*、a*の差がΔa*、b*値の差がΔb*であるときに、色差ΔＥ＝[(ΔL*)2＋(Δa*)2＋(Δb*)2]1/2によって求められる。
【００８５】
インジケータ５１の色と装飾部８１の色は、オストワルト色相環によって分類された２４色の色票で、色相番号が２以上ずれてよい。使用者は、インジケータと装飾部８１を区別して認識し易くなる。使用者は、吸収コア３１が身体側に凸状に変形していることを、装飾部８１を介して容易に把握でき、漏れに対する安心感をより得やすい。使用者は、使用前の状態においても、装飾部８１を介して変形誘導部を視認しやすくなり、股間部に対してフィットするおむつであるという安心感を得ることができる。
【００８６】
変形誘導部は、前後方向に伸縮する股下伸縮部４１と、周囲よりも目付が低い低坪量部３３と、を有してよい。前後方向Ｌにおいて低坪量部３３が配置された領域の少なくとも一部には、股下伸縮部４１が配置されてよい。吸収コア３１は、低坪量部３３を基点に変形し、低坪量部３３を基点に変形した領域を股下伸縮部４１によって引き上げることができる。
【００８７】
図２に示すように、使い捨ておむつには、前後方向において低坪量部３３と股下伸縮部４１が配置された領域Ｒ１１と、低坪量部３３が股下伸縮部４１よりも前後方向Ｌの外側に延出した領域Ｒ１２と、が設けられる。前後方向において低坪量部３３と股下伸縮部４１が配置された領域は、低坪量部３３と股下伸縮部４１が幅方向に重なる領域であり、低坪量部３３による変形基点が形成されるとともに、股下伸縮部４１の収縮によって身体側に引き上げられる。低坪量部３３が股下伸縮部４１よりも前後方向の外側に延出した領域Ｒ１２は、低坪量部３３による変形基点が形成されるが、股下伸縮部４１の収縮が作用し難い。よって、これらの２つの領域は、吸収コア３１の変形状態が異なり易い。２つの領域にまたがるように装飾部８１が設けられているため、使用者は、異なる変形態様を把握し易い。吸収コア３１の変形態様の違いによって、おむつの前後方向の向きやおむつの全体における前後方向の位置を把握でき、おむつが身体に対して適切に装着されているかを把握し易い。
【００８８】
股下伸縮部４１の少なくとも一部は、低坪量部３３と重なる領域に配置されてよい。低坪量部が設けられた領域は、低坪量部が設けられていない領域と比較して剛性が低く、股下伸縮部の収縮力がより発現し易い。股下伸縮部４１の収縮によって、低坪量部３３を身体側により引き上げ易くなる。よって、低坪量部３３を凸状の頂点として吸収コアが変形し易くなる。
【００８９】
股下伸縮部４１の後端縁４１Ｒは、使い捨ておむつの前後方向Ｌの中心１０ＬＣと係合部９３の前端縁との前後方向Ｌの中間に位置する中間線ＭＬ１よりも前側に配置されてよい。図１に示すように、中間線ＭＬ１は、使い捨ておむつの前後方向Ｌの中心１０ＬＣと係合部９３の前端縁との前後方向Ｌの中心を通り、かつ幅方向Ｗに延びる線である。中間線ＭＬ１よりも後側は、一般的に、装着時に臀部が載せられる領域である。股下伸縮部４１の後端縁は、中間線ＭＬ１よりも前側に位置し、着用者の臀部が載せられない領域に配置される。装着時には、中間線ＭＬ１よりも後側の領域が臀部によって押さえられた状態で、臀部が載せられていない領域が前側に引っ張られ、股下伸縮部４１が伸長し易い。よって、股下伸縮部４１が配置された領域が身体に対して引き上げ、着用者の股間に吸収コア３１を適切により収めることができる。
【００９０】
また、変形例において、股下伸縮部４１の後端縁４１Ｒは、中間線ＭＬ１よりも後側に位置してよい。装着時には、股下伸縮部４１の後端縁４１Ｒが臀部によって押さえられた状態で、股下伸縮部４１の前端縁４１Ｆ側が前側に引っ張られ、股下伸縮部４１が伸長し易い。よって、股下伸縮部４１が配置された領域が身体に対して引き上げ、着用者の股間に吸収コアを適切により収めることができる。
【００９１】
他の変形例において、変形誘導部は、前記幅方向の内側に向かって凸状に湾曲する形状であってよい。変形誘導部の凸状の頂点によって挟まれた領域を股間に対して身体側に凸状に変形させ、股間に対するフィット性を向上できる。また、凸状の頂点から前後方向に離れる側に向かって変形誘導部の挟まれた領域の幅方向の長さが長くなり、広い面積で吸収コアを当て、前漏れ及び後漏れを抑制し易くなる。
【００９２】
本明細書における「吸収コアの坪量」の測定は、以下の測定方法によって行われるものとする。使い捨ておむつ１０がパッケージなどに封入されている場合には、パッケージから取り出し、その状態にて20℃±2℃、相対湿度60％±5％RHの雰囲気下において12時間放置したサンプルを用いる。包装シート等によって包装された使い捨ておむつにおいては包装シートを開封し、折り畳まれた使い捨ておむつを展開する。次いで、坪量を測定する部分を使い捨ておむつから切り出し、切り出した部分から表面シート等、吸収コア以外の部分を取り除く。そして、吸収コアの坪量を測定する部分の面積及び重量を測定する。重量と面積とに基づいて坪量を算出する。
【００９３】
本明細書における「曲げ剛性」は、ガーレー剛軟度によって測定された値であってもよい。ガーレー剛軟度の測定は、(株)安田精機製作所製のＮｏ３１１のガーレー式柔軟度試験機を用いて、ＪＩＳ−Ｌ１０９６に準拠して測定することが可能である。ガーレー剛軟度の測定のサンプルの幅方向Ｗの長さは、30ｍｍ、前後方向の長さは、25ｍｍとすることができる。
【００９４】
以上、上述の実施形態を用いて本考案について詳細に説明したが、当業者にとっては、本考案が本明細書中に説明した実施形態に限定されるものではないということは明らかである。本考案は、実用新案登録請求の範囲の記載により定まる本考案の趣旨及び範囲を逸脱することなく修正及び変更態様として実施することができる。したがって、本明細書の記載は、例示説明を目的とするものであり、本考案に対して何ら制限的な意味を有するものではない。
【産業上の利用可能性】
【００９５】
本考案によれば、身体に対するフィット性をより高めることにより、身体に対する隙間を抑制し、漏れを抑制できる使い捨ておむつを提供できる。
【符号の説明】
【００９６】
１０    使い捨ておむつ
１０ＬＣ  ：おむつの前後方向の中心
１０ＷＣ  ：おむつの幅方向の中心
２１    表面シート
２２    サイドシート
２３    裏面シート
２４    外装シート
３０    吸収体
３１    吸収コア
３２    コアラップ
３３    低坪量部
３５    幅狭部
４１    股下伸縮部
４２    脚回り伸縮部
４３    防漏伸縮部
４５    腰回り伸縮部
５１    インジケータ
７１    中央高剛性部
７２    後高剛性部
７３    前高剛性部
８５    格子圧搾部
９１    ファスニングテープ
９２    ベース部
９３    係合部
９５    ターゲット部
ＭＬ１    ：中間線
Ｌ      前後方向
Ｗ      幅方向
Ｔ    厚さ方向
Ｔ１    肌面側
Ｔ２    非肌面側
Ｓ１    前胴回り域
Ｓ２    後胴回り域
Ｓ３    股下域
【図１】
0003218599.tif 000003
【図２】
0003218599.tif 000004
【図３】
0003218599.tif 000005
【図４】
0003218599.tif 000006
【図５】
0003218599.tif 000007
【図６】
0003218599.tif 000008
【図７】
0003218599.tif 000009